(57)【要約】【課題】電子機器がセットされていないときには充電状態にならず、充電スイッチオン／オフ用のボタン配置に伴うデザイン上の制約がなくなるようにした充電用卓上ホルダを提供する。【解決手段】スプリング１８に抗して携帯電話機１００により押下されることにより充電スイッチ１４をオンにするボタン１９は、カバー１２の携帯電話機１００の搭載位置の上端部に位置する様にして印刷配線基板１３上に設置されている。ボタン１９に隣接させてスプリング２１によって附勢される嵌合フック２０が配設され、この嵌合フック２０はカバー１２の上端部に開口する嵌合フック取付穴１２ａから露出し、かつボタン１９の上端面を覆う突起部２０ｂを有する。【選択図】　　　　図１
2004088688.tif 000002
【特許請求の範囲】
【請求項１】
所定位置に電子機器が搭載され、この電子機器に搭載の電池を充電する充電用卓上ホルダであって、
前記電子機器の充電用接続端子に接続される充電端子が実装された印刷配線基板と、
前記充電端子に充電出力を供給するか否かを選択する充電スイッチと、
前記所定位置の周辺部に配置されると共に、前記電子機器による押下により前記充電スイッチをオンにさせるボタンと、
前記ボタンの押下に対して逆方向の附勢力を前記ボタンに付与する第１の弾性部材と、
前記電子機器が前記所定位置に末搭載のときには前記ボタンの上端面を覆うと共に、前記電子機器の搭載に応じて前記ボタンが押下される前に前記上端面を開放する突起部を有するフック部材と、
前記突起部が前記ボタンの上端面を覆う方向に前記フック部材を附勢する第２の弾性部材と、
前記フック部材の前記突起部及び前記ボタンの前記上端面が露出可能な開口を有し、前記印刷配線基板を位置決め保持するカバー部材と、
前記各部材を内蔵した状態で前記カバーに取り付けられるベース部材とを備えることを特徴とする充電用卓上ホルダ。
【請求項２】
前記フック部材は、一端に前記突起部が形成され、他端に一対のピンが設けられ、この一対のピンを軸に回転可能なように取り付けられていることを特徴とする請求項１記載の充電用卓上ホルダ。
【請求項３】
前記フック部材は、全体がスライドすることを特徴とする請求項１記載の充電用卓上ホルダ。
【請求項４】
前記カバー部材は、折り畳み型携帯電話機の下側筐体を搭載するスペースを有し、前記折り畳み型携帯電話機のヒンジ部の近傍に前記開口が形成されていることを特徴とする請求項１記載の充電用卓上ホルダ。
【請求項５】
前記カバー部材は、ストレート型携帯電話機、ＰＨＳ電話機、又はＰＤＡ装置を搭載するスペースを有し、前記折り畳み型携帯電話機のヒンジ部の近傍に前記開口が形成されていることを特徴とする請求項１記載の充電用卓上ホルダ。
【請求項６】
前記ボタン、前記フック部材、前記第１の弾性部材、及び前記第２の弾性部材は、フレーム部材に取り付けられていることを特徴とする請求項１，２，又は３記載の充電用卓上ホルダ。
【請求項７】
前記フレーム部材は、前記印刷配線基板、前記ベース部材、又は前記カバー部材に取り付けられることを特徴とする請求項６記載の充電用卓上ホルダ。
【発明の詳細な説明】
【０００１】
【発明の属する技術分野】
本発明は、充電用卓上ホルダに関し、特に、携帯電話機等の電子機器内の二次電池に充電を行うための充電回路及び充電端子を内蔵した充電用卓上ホルダに関する。
【０００２】
【従来の技術】
携帯電話機やＰＨＳ（Ｐｅｒｓｏｎａｌ　Ｈａｎｄｙｐｈｏｎｅ　Ｓｙｓｔｅｍ）電話機等の携帯端末装置は、ニッケル水素電池、リチウムイオン電池等の二次電池を電源として動作する。二次電池は容量に限りがあるため、携帯端末装置の電源をオンにしたまま使用し続ければ、やがて放電し、携帯端末装置の使用ができなくなる。そこで、携帯電話機等では、液晶表示器にイラスト等により電池の消耗状態を表示できるようにし、使用できなくなる前に充電や電池交換のタイミングを把握できるようにしている。使用者は、電池の消耗が或るレベル以下になったとき、充電器の接続端子を携帯電話機の充電端子に接続するか、携帯電話機を専用の卓上ホルダにセットして充電を行うようになっている。
【０００３】
図３は、折り畳み型携帯電話機の裏面を示す。
図３に示すように、携帯電話機１００は、上部筐体１０１と下部筐体１０２がヒンジ部１０３で蝶着された構造を有している。上部筐体１０１は、正面に液晶表示器、スピーカ等を備え、裏面には着信や時計表示を行うための第２の液晶表示器１０１ａが設けられている。また、下部筐体１０２は、正面にマイク、操作部（テンキー、機能キー等）を備え、裏面にはアンテナ１０２ａが設けられているほか、着脱自在にニッケル水素電池、リチウムイオン電池等による電池パック１０４が装着される。この電池パック１０４は、充電端子１０４ａを備えている。更に、充電器を接続しての充電やマルチメディア機器を接続するための外部接続端子１０５を備えている。
【０００４】
図４は図３の折り畳み型携帯電話機にセットした状態の従来の充電用卓上ホルダを示す。充電用卓上ホルダ２００は、図示しないＡＣアダプタから電力が供給される。電池パック１０４を装着済みの携帯電話機１００の下部筐体１０２を収納できる窪みを有している。この状態で、充電用卓上ホルダ２００の充電端子（図示せず）と充電端子１０４ａが接触し、電池パック１０４の充電が行える状態になる。なお、充電用卓上ホルダ２００は、充電回路を内蔵させた構成とし、ＡＣアダプタの接続を不要にする構成もある。
【０００５】
また、家庭等で用いるコードレス電話機の子機においては、ハンドセット内に無線通話に必要な全機能を達成する回路及び電源としての二次電池を内蔵し、上端部には伸縮式のアンテナが取り付けられた構造を有している。このような子機においては、親機が存在するため、子機の充電は充電用卓上ホルダを用いなくとも、子機を親機の所定の位置にセットすることにより達成される構成がとられている。
【０００６】
例えば、実開平５−９７１５１号公報に示されるように、子機の受話部に充電電力を受ける端子としての一対の第１の作動部を設けておき、親機の凹部に前記受話部がセットされたとき、凹部に設けられた第２の作動部が押下されることにより凹部に内蔵の回動部が回動して第１の作動部に接触し、充電を行える構成がある。
【０００７】
また、実開平１−５７８３５号公報に示される構成では、コードレス電話機のハンドセット（送受話部の側面に充電受電端子を有する）がセットされる筐体の嵌合部の底部に、略Ｕ字形の回転片を回転可能に設置し、その端部が充電送電端子をハンドセットの送受話部側へ押し出せるようにしている。筐体の嵌合部に送受話部が嵌合すると、回転片が回転し、その先端部が送受話部の充電受電端子に接触し、ハンドセット内の電池が充電される。
【０００８】
【発明が解決しようとする課題】
しかし、従来の充電用卓上ホルダによると、実開平５−９７１５１号公報の構成では、送受話部の側面と凸面に作動部が介在するようになるため、機構が大型化する。また、図４の構成では、充電スイッチをオン／オフさせるボタンが充電用卓上ホルダのカバー表面の中央付近に露出する構造なため、使用者の指等が不用意に触れ易い位置にあり、充電スイッチをオンにしたまま充電端子に指が触れたり、充電端子間に導電性の異物が接触してショートを発生する等、安全性に改善の余地がある。同様に、実開平１−５７８３５号公報の構成では、ハンドセットが末セットの時には筐体内に回転片が突出しており、やはり使用者の指等が不用意に触れ易いほか、充電送電端子が常に筐体内に露出しており、指等に接触し易く、安全性が懸念される。
【０００９】
また、図４の構造では、充電スイッチオン／オフ用のボタンがカバー表面の中央付近に設けられているため、ボタンの周囲は携帯電話機等の電子機器本体を受ける面が必要になる。このため、カバーのボタン設置面はカバーをデザインするに際して形状的に制約され、デザインの自由度が低下する。
【００１０】
本発明の目的は、電子機器がセットされていないときには充電状態にならず、充電スイッチオン／オフ用のボタン配置に伴うデザイン上の制約がなくなるようにした充電用卓上ホルダを提供することにある。
【００１１】
【課題を解決するための手段】
本発明は、上記の目的を達成するため、所定位置に電子機器が搭載され、この電子機器に搭載の電池を充電する充電用卓上ホルダであって、前記電子機器の充電用接続端子に接続される充電端子が実装された印刷配線基板と、前記充電端子に充電出力を供給するか否かを選択する充電スイッチと、前記所定位置の周辺部に配置されると共に、前記電子機器による押下により前記充電スイッチをオンにさせるボタンと、前記ボタンの押下に対して逆方向の附勢力を前記ボタンに付与する第１の弾性部材と、前記電子機器が前記所定位置に末搭載のときには前記ボタンの上端面を覆うと共に、前記電子機器の搭載に応じて前記ボタンが押下される前に前記上端面を開放する突起部を有するフック部材と、前記突起部が前記ボタンの上端面を覆う方向に前記フック部材を附勢する第２の弾性部材と、前記フック部材の前記突起部及び前記ボタンの前記上端面が露出可能な開口を有し、前記印刷配線基板を位置決め保持するカバー部材と、前記各部材を内蔵した状態で前記カバーに取り付けられるベース部材とを備えることを特徴とする充電用卓上ホルダを提供する。
【００１２】
この構成によれば、電子機器が充電用卓上ホルダに搭載される際、フック部材の突起部が電子機器に当接して第２の弾性部材に抗しながら摺動し、突起部で覆われていたボタンの上端面が露出する。更に、突起部に代わってボタンの上端面が電子機器に当接する結果、電子機器の押下に従ってボタンが下降し、充電スイッチがオンになる。したがって、充電スイッチが不用意にオンにされることはなくなり、安全性が高められる。更に、ボタンが電子機器の搭載位置の周辺部に配置されているため、充電スイッチ用のボタンがカバー部材の中央部に位置しないため、ボタン位置に伴うデザイン上の制約が無くなり、デザインの自由度が高められる。
【００１３】
【発明の実施の形態】
以下、本発明の実施の形態を図面に基づいて説明する。
図１は、本発明による充電用卓上ホルダの構成を示す。以下においては、充電対象の電子機器は折り畳み型携帯電話機であるとする。
本発明の充電用卓上ホルダ１は、樹脂製のベース１１（ベース部材）と、このベース１１に被せられると共に最後にネジ止めされる樹脂製のカバー１２（カバー部材）とにより筐体が形成されている。カバー１２は、充電対象の携帯電話機１００（図３）が或る深さまで収納できるように窪みが形成されている。ベース１１内には印刷配線基板１３が配設されている。この印刷配線基板１３の一端には充電スイッチ１４が実装され、印刷配線基板１３の他端には充電端子１５が端子ホルダ１６を介して実装されている。この充電端子１５は、図３に示した携帯電話機１００がカバー１２の定位置に装填されたとき、外部接続端子１０５に接触できる位置に設けられている。
【００１４】
なお、充電用卓上ホルダ１は、不図示のＡＣアダプタが接続され、このＡＣアダプタから充電用の電力が供給される。この構成に代え、印刷配線基板１３にトランス、充電回路等を実装した構成とし、ＡＣアダプタの接続を不要にすることもできる。
【００１５】
充電端子１５を囲むようにして、印刷配線基板１３上にはＵ字形のフレーム１７が実装されている。このフレーム１７には、嵌合フック取付部１７ａとボタン取付部１７ｂが一体的に形成されている。ボタン取付部１７ｂは貫通部を有しており、この貫通部にはボタン用スプリング（コイルバネ）１８（第１の弾性部材）を外嵌したボタン１９が装填される。このボタン１９は、カバー１２の携帯電話機１００の下部筐体１０２の搭載位置の上端部に配置されるように位置決めされている。
【００１６】
ボタン１９は、押下されたとき、ボタン用スプリング１８に抗してボタン取付部１７ｂの貫通部内を降下し、また、ボタン用スプリング１８の弾性力により上昇して初期位置へ復帰する。ボタン１９の前部には、板状の作動片１９ａが垂下するように形成されている。この作動片１９ａは、ボタン１９が押下されるとき、ボタン１９と一体に降下して充電スイッチ１４の可動部を押下し、充電スイッチ１４をオンにする。ボタン１９に対する使用者の押下操作が解除されると、ボタン用スプリング１８の弾性力によってボタン１９は押し上げられ、充電スイッチ１４はオフになる。
【００１７】
更に、フレーム１７の嵌合フック取付部１７ａには、主部が板状を成し、その下端の両側にピン２０ａを有し、上端に水平方向に伸びる突起部２０ｂを有する嵌合フック２０（フック部材）が装着される。この嵌合フック２０に重ねるようにして、かつピン２０ａに係着されるようにして逆Ｕ字形の嵌合フック用スプリング２１（第２の弾性部材）が配設され、常時、嵌合フック２０をボタン１９側へ附勢している。
【００１８】
また、カバー１２には、嵌合フック２０の突起部２０ｂを露出させる嵌合フック取付穴１２ａが設けられている。携帯電話機１００を装着した際、嵌合フック取付穴１２ａから露出している突起部２０ｂは外側方向に押し出され、ボタン１９の上端面を露出させる。この状態のまま、カバー１２の窪み（搭載領域）に携帯電話機１００が装填されると、その押し下げ動作の過程でボタン１９の上端面が押し下げられ、上記したように、充電スイッチ１４がオンになる。
【００１９】
図２は、本発明の充電用卓上ホルダの充電スイッチ周辺の詳細構成を示す。
図１及び図２を参照して、本発明の充電用卓上ホルダ１の組立手順について説明する。まず、印刷配線基板１３には、予め電池パック１０４を充電するための充電回路を構成する各種の電子部品が実装されているほか、充電端子１５、端子ホルダ１６、充電スイッチ１４、及びフレーム１７が予め実装されている。このようにしてユニット化された印刷配線基板１３上のボタン取付部１７ｂには、ボタン用スプリング１８とボタン１９が取り付けられる。更に、嵌合フック取付部１７ａには、嵌合フック２０と嵌合フック用スプリング２１が取り付けられる。この時、ボタン１９と嵌合フック２０の位置関係は、嵌合フック２０の突起部２０ｂの下側にボタン１９の頂部が配置された状態となる。
【００２０】
このようにして、後付けの部品が実装された印刷配線基板１３には、カバー１２が取り付けられ、この状態のままベース１１がカバー１２に嵌合するようにして取り付けられる。最後にベース１１とカバー１２をネジ止め固定することにより、充電用卓上ホルダ１の組み立てが完了する。
【００２１】
以上の様にして完成した充電用卓上ホルダ１に携帯電話機１００を装着する際には、予めＡＣアダプタ（図示せず）のコネクタを充電用卓上ホルダ１のソケットに挿入すると共に、ＡＣアダプタのＡＣコードをＡＣコンセントに接続しておく。ついで、図２に示すように、携帯電話機１００をカバー１２の搭載領域に装着すると、携帯電話機１００のフック嵌合部１０６が充電用卓上ホルダ１側の嵌合フック２０に嵌合し、嵌合フック２０が矢印Ａ方向に押し出される。嵌合フック２０が押し出されることにより、嵌合フック２０の直下に配置されたボタン１９の上端面が露出し、この上端面が携帯電話機１００の裏面に当接し、携帯電話機１００の押下と共にボタン１９は矢印Ｂ方向へ降下する。ボタン１９の押下に伴って作動片１９ａの先端が矢印Ｃ方向に移動する過程で充電スイッチ１４に当接し、充電スイッチ１４がオンになる。同時に、嵌合フック用スプリング２１の弾性力により、嵌合フック２０の突起部２０ｂが携帯電話機１００のフック嵌合部１０６の上側の窪み１０６ａに嵌合して携帯電話機１００はロックされ、携帯電話機１００の跳ね上がり（搭載領域からの離脱）が防止される。
【００２２】
上記実施の形態においては、嵌合フック２０はピン２０ａを軸にして回転する構造にしたが、スライドする構造にしてもよい。更に、嵌合フック取付穴１２ａ、嵌合フック２０、ボタン１９等は、携帯電話機１００の上部筐体１０１の上端部に配置されるようにしたが、下部筐体１０２の下端部、或いは左右の側端部に配置してもよい。
【００２３】
また、電子機器として折り畳み型携帯電話機を示したが、折り畳み型ＰＨＳ電話機であっても、ストレート型の携帯電話機やＰＨＳ電話機であってもよい。更には、コードレス電話機の子機、或いは携帯型のＰＤＡ（Ｐｅｒｓｏｎａｌ　Ｄｉｇｉｔａｌ　Ａｓｓｉｓｔａｎｔ）装置であってもよい。折り畳み型携帯電話機以外の電子機器の場合、嵌合フック取付穴１２ａの形成位置は、上端部又は下端部になる。
【００２４】
更に、上記実施の形態においては、充電用卓上ホルダ１が電子機器を表示器や操作部が上になる上向きの搭載構造にしたが、逆に下向きの搭載構造にしてもよい。
【００２５】
また、充電端子１５は露出した状態のままとしたが、電子機器の着脱に連動して開閉するシャッターを設ける構成にしてもよい。これにより、充電端子１５に導電性の異物が接触（付着）することによるショートの発生を防止できるほか、充電端子１５の汚れ、錆び、接触不良等の発生を低減することができる。
【００２６】
更に、フレーム１７は印刷配線基板１３に搭載したが、ベース１１又はカバー１２に取り付けられる構成であってもよい。これにより、印刷配線基板１３の組み立て工程とは別の工程においてフレーム１７上の各部品の組み付けが可能になる。
【００２７】
【発明の効果】
以上より明らかなように、本発明の充電用卓上ホルダによれば、電子機器が充電用卓上ホルダに搭載される際、フック部材の突起部が電子機器に当接することにより、第２の弾性部材に抗して摺動し、突起部で覆われていたボタンの上端面を露出させ、突起部に代わってボタンの上端面が電子機器に当接し、ボタンは電子機器の押下に従って下降し、充電スイッチをオンにするように構成され、更に、ボタンが電子機器の搭載位置の周辺部に配置された構成にしたため、充電スイッチが不用意にオンにされることはなくなり、安全性が高められる。更に、ボタンが電子機器の搭載位置の周辺部に配置されており、充電スイッチ用のボタンがカバー部材の中央部に位置しないため、ボタン位置に伴うデザイン上の制約が無くなり、デザインの自由度が高められる。
【図面の簡単な説明】
【図１】本発明による充電用卓上ホルダの構成を示す分解斜視図である。
【図２】本発明の充電用卓上ホルダの充電スイッチ周辺の構成を示す断面図である。
【図３】折り畳み型携帯電話機の裏面を示す平面図である。
【図４】図３の折り畳み型携帯電話機にセットした状態の従来の充電用卓上ホルダを示す斜視図である。
【符号の説明】
１　充電用卓上ホルダ
１１　ベース
１２　カバー
１２ａ　嵌合フック取付穴
１３　印刷配線基板
１４　充電スイッチ
１５　充電端子
１６　端子ホルダ
１７　フレーム
１７ａ　嵌合フック取付部
１７ｂ　ボタン取付部
１８　ボタン用スプリング
１９　ボタン
１９ａ　作動片
２０　嵌合フック
２０ａ　ピン
２０ｂ　突起部
２１　嵌合フック用スプリング
１００　携帯電話機
１０１　上部筐体
１０１ａ　第２の液晶表示器
１０２　下部筐体
１０２ａ　アンテナ
１０３　ヒンジ部
１０４　電池パック
１０４ａ　充電端子
１０５　外部接続端子
１０６　フック嵌合部
１０６ａ　窪み
２００　充電用卓上ホルダ
【図１】
2004088688.tif 000003
【図２】
2004088688.tif 000004
【図３】
2004088688.tif 000005
【図４】
2004088688.tif 000006